【手続補正書】
【提出日】平成15年12月15日(2003.12.15)
【手続補正１】
【補正対象書類名】明細書
【補正対象項目名】請求項１
【補正方法】変更
【補正の内容】
【請求項１】
予め識別番号を登録する登録手段と、通信回線を介して着信信号を受信すると発呼側の識別番号を解析する解析手段と、上記解析手段により解析された発呼側の識別番号が上記登録手段に登録されているか否かを判定する判定手段と、上記判定手段の判定結果が登録されている旨を示す場合には、予め設置された撮影機の映像を通信回線を介して発呼側に伝送する映像伝送手段とを備えた状態確認装置。
【手続補正２】
【補正対象書類名】明細書
【補正対象項目名】請求項４
【補正方法】変更
【補正の内容】
【請求項４】
呼出音又はメッセージに対応して安否確認用のスイッチが投入されると、その旨を示す確認信号を通信回線を介して発呼側に伝送する確認信号伝送手段を設けたことを特徴とする請求項２または請求項３記載の状態確認装置。
【手続補正３】
【補正対象書類名】明細書
【補正対象項目名】請求項９
【補正方法】変更
【補正の内容】
【請求項９】
被写体である特定人のバイタル情報を計測する計測手段と、判定手段の判定結果が登録されている旨を示す場合には、上記計測手段により計測されたバイタル情報を通信回線を介して発呼側に伝送するバイタル情報伝送手段とを設けたことを特徴とする請求項１から請求項８のうちのいずれか１項記載の状態確認装置。
【手続補正４】
【補正対象書類名】明細書
【補正対象項目名】請求項１１
【補正方法】変更
【補正の内容】
【請求項１１】
熱画像を撮影する熱画像撮影手段と、判定手段の判定結果が登録されている旨を示す場合には、上記熱画像撮影手段により撮影された熱画像を通信回線を介して発呼側に伝送する熱画像伝送手段とを設けたことを特徴とする請求項１から請求項９のうちのいずれか１項記載の状態確認装置。
【手続補正５】
【補正対象書類名】明細書
【補正対象項目名】請求項１３
【補正方法】変更
【補正の内容】
【請求項１３】
被写体である特定人のバイタル情報を計測する計測手段と、予め識別番号を登録する登録手段と、通信回線を介して着信信号を受信すると発呼側の識別番号を解析する解析手段と、上記解析手段により解析された発呼側の識別番号が上記登録手段に登録されているか否かを判定する判定手段と、上記判定手段の判定結果が登録されている旨を示す場合には、上記計測手段により計測されたバイタル情報を通信回線を介して発呼側に伝送するバイタル情報伝送手段とを備えた状態確認装置。
【手続補正６】
【補正対象書類名】明細書
【補正対象項目名】０００６
【補正方法】変更
【補正の内容】
【０００６】
【課題を解決するための手段】
この発明に係る状態確認装置は、発呼側の識別番号が登録手段に登録されている場合には、予め設置された撮影機の映像を通信回線を介して発呼側に伝送するようにしたものである。


【手続補正７】
【補正対象書類名】明細書
【補正対象項目名】０００９
【補正方法】変更
【補正の内容】
【０００９】
この発明に係る状態確認装置は、呼出音又はメッセージに対応して安否確認用のスイッチが投入されると、その旨を示す確認信号を通信回線を介して発呼側に伝送するようにしたものである。


【手続補正８】
【補正対象書類名】明細書
【補正対象項目名】００１４
【補正方法】変更
【補正の内容】
【００１４】
この発明に係る状態確認装置は、判定手段の判定結果が登録されている旨を示す場合には、撮影機により撮影された映像と計測手段により計測されたバイタル情報を通信回線を介して発呼側に伝送するようにしたものである。


【手続補正９】
【補正対象書類名】明細書
【補正対象項目名】００１６
【補正方法】変更
【補正の内容】
【００１６】
この発明に係る状態確認装置は、判定手段の判定結果が登録されている旨を示す場合には、熱画像撮影手段により撮影された熱画像を通信回線を介して発呼側に伝送するようにしたものである。


【手続補正１０】
【補正対象書類名】明細書
【補正対象項目名】００１８
【補正方法】変更
【補正の内容】
【００１８】
この発明に係る状態確認装置は、判定手段の判定結果が登録されている旨を示す場合には、計測手段により計測されたバイタル情報を通信回線を介して発呼側に伝送するようにしたものである。


【手続補正１１】
【補正対象書類名】明細書
【補正対象項目名】００４３
【補正方法】変更
【補正の内容】
【００４３】
【発明の効果】
以上のように、この発明によれば、発呼側の識別番号が登録手段に登録されている場合に限り、撮影機の映像を通信回線を介して発呼側に伝送するように構成したので、プライバシー保護の観点から不特定第三者に撮影機の映像が伝送されるのを防止しつつ、親族等には撮影機の映像が伝送されるようになり、その結果、患者等が体調不備等の理由で電話機に応答することができない等の事情が発生した場合でも、親族等は患者等の安否を確認することができる効果がある。


【手続補正１２】
【補正対象書類名】明細書
【補正対象項目名】００４６
【補正方法】変更
【補正の内容】
【００４６】
また、この発明によれば、呼出音又はメッセージに対応して安否確認用のスイッチが投入されると、その旨を示す確認信号を通信回線を介して発呼側に伝送するように構成したので、患者等が撮影機の撮影範囲内に存在しておらず、患者等の安否を確認することができない場合、あるいは、撮影機の映像だけでは正確に安否を確認することができない場合でも、親族等はかかる確認信号を受信することにより患者等の安否を確実に確認することができる効果がある。


【手続補正１３】
【補正対象書類名】明細書
【補正対象項目名】００５１
【補正方法】変更
【補正の内容】
【００５１】
また、この発明によれば、判定手段の判定結果が登録されている旨を示す場合には、撮影機により撮影された映像と計測手段により計測されたバイタル情報を通信回線を介して発呼側に伝送するように構成したので、撮影機の映像だけでは的確に把握できない患者等の健康状態を正確に把握することができる効果がある。


【手続補正１４】
【補正対象書類名】明細書
【補正対象項目名】００５３
【補正方法】変更
【補正の内容】
【００５３】
また、この発明によれば、判定手段の判定結果が登録されている旨を示す場合には、熱画像撮影手段により撮影された熱画像を通信回線を介して発呼側に伝送するように構成したので、撮影機の設置場所が暗いために患者等の映像を撮影することができない場合でも、患者等が熱画像撮影手段の撮影範囲内に存在していれば、患者等の安否をある程度確認することができる効果がある。また、患者等の体温を認識することができるので、患者等の健康状態をある程度推測できる効果もある。


【手続補正１５】
【補正対象書類名】明細書
【補正対象項目名】００５５
【補正方法】変更
【補正の内容】
【００５５】
また、この発明によれば、判定手段の判定結果が登録されている旨を示す場合には、計測手段により計測されたバイタル情報を通信回線を介して発呼側に伝送するように構成したので、プライバシー保護の観点から不特定第三者にバイタル情報が伝送されるのを防止しつつ、親族等にはバイタル情報が伝送されるようになり、その結果、患者等が体調不備等の理由で電話機に応答することができない等の事情が発生した場合でも、親族等は患者等の安否を確認することができる効果がある。